(57)【要約】【課題】電源投入後に、電話装置に使用される電話回線が接続されると、側音を軽減することができないという問題を解決し、かつ、特別な操作を必要とせずに通常の操作を行うだけで容易に側音の最適化を行うことが可能な電話装置を提供することである。【解決手段】ＤＴＭＦ信号送出部１０２は、回線補足時に、発呼先の電話装置の電話番号を示すＤＴＭＦ信号を、２線４線変換回路１０１を介して出力する。ＤＴＭＦ信号レベル検出部１０３は、ＤＴＭＦ信号送出部１０２から出力されたＤＴＭＦ信号のうちの、２線４線変換回路１０１から戻ってきたＤＴＭＦ信号である側音信号の信号レベルを検出する。側音調整制御部１０４は、ＤＴＭＦ信号レベル検出部１０３にて検出された信号レベルに基づいて、２線４線変換回路１０１のインピーダンスを調整する。【選択図】図１
2011061285.tif 000002
【特許請求の範囲】
【請求項１】
２線４線変換回路を有する電話装置であって、
回線補足時に、発呼先の電話装置の電話番号を示すＤＴＭＦ信号を、前記２線４線変換回路を介して出力する送出手段と、
前記送出手段から出力されたＤＴＭＦ信号のうちの、前記２線４線変換回路から戻ってきたＤＴＭＦ信号の信号レベルを検出する検出手段と、
前記検出手段にて検出された信号レベルに基づいて、前記２線４線変換回路のインピーダンスを設定する制御手段と、を有する電話装置。
【請求項２】
請求項１に記載の電話装置において、
前記送出手段は、前記ＤＴＭＦ信号として、前記電話番号内の各桁を示す選択信号を順番に出力し、
前記検出手段は、前記信号レベルとして、前記２線４線変換回路から戻ってきた各桁の選択信号の信号レベルのそれぞれを検出し、
前記制御手段は、前記送出手段にて選択信号が出力されるたびに、前記インピーダンスを変更し、その後、前記検出手段にて検出された各桁の選択信号の信号レベルのうち、最小の信号レベルが検出されたときのインピーダンスを、前記２線４線変換回路に設定する、電話装置。
【請求項３】
請求項２に記載の電話装置において、
前記２線４線変換回路は、予め用意された複数の調整用インピーダンスのいずれかを、実際のインピーダンスとして設定可能な可変インピーダンス回路を有し、
前記制御手段は、前記選択信号が出力されるたびに、前記実際のインピーダンスとして設定される調整用インピーダンスを変更し、その後、前記最小の信号レベルが検出されたときに設定されていた調整用インピーダンスを、前記可変インピーダンス回路に設定する、電話装置。
【請求項４】
２線４線変換回路を有する電話装置の側音調整方法であって、
発呼先の電話装置の電話番号を示すＤＴＭＦ信号を、前記２線４線変換回路を介して出力する送出ステップと、
前記出力されたＤＴＭＦ信号のうちの、前記２線４線変換回路から戻ってきたＤＴＭＦ信号の信号レベルを検出する検出ステップと、
前記検出された信号レベルに基づいて、前記２線４線変換回路のインピーダンスを設定する制御ステップと、を有する側音調整方法。
【請求項５】
請求項４に記載の側音調整方法において、
前記送出ステップでは、前記ＤＴＭＦ信号として、前記電話番号内の各桁を示す選択信号を順番に出力し、
前記検出ステップでは、前記信号レベルとして、前記２線４線変換回路から戻ってきた各桁の選択信号の信号レベルのそれぞれを検出し、
前記制御ステップでは、前記選択信号が出力されるたびに、前記インピーダンスを変更し、その後、前記検出された各桁の選択信号の信号レベルのうち、最小の信号レベルが検出されたときのインピーダンスを、前記２線４線変換回路に設定する、側音調整方法。
【請求項６】
請求項５に記載の側音調整方法において、
前記２線４線変換回路は、予め用意された複数の調整用インピーダンスのいずれかを、実際のインピーダンスとして設定可能な可変インピーダンス回路を有し、
前記制御ステップでは、前記選択信号が出力されるたびに、前記実際のインピーダンスとして設定される調整用インピーダンスを変更し、その後、前記最小の信号レベルが検出されたときに設定されていた調整用インピーダンスを、前記可変インピーダンス回路に設定する、側音調整方法。
【発明の詳細な説明】
【技術分野】
【０００１】
本発明は、２線４線変換回路を有する電話装置およびその側音調整方法に関する。
【背景技術】
【０００２】
一般的な電話装置では、送話器に入力されたユーザの音声を示す送話信号が２線４線変換回路（ハイブリット回路）を介して通話先の電話装置に出力されている。このとき、電話装置の２線４線変換回路と電話回線との間にインピーダンスの不整合があると、送話信号が２線４線変換回路から受話器に戻り、受話器から自分の音声が大きな側音として聞こえることがある。
【０００３】
電話装置間を接続する電話回線として、定電圧方式の電話回線が用いられている場合、回線電流の値に基づいて回線のインピーダンスを推定し、２線４線変換回路のインピーダンスを調整することで、側音を低減することができる。なお、交流給電方式は、従来の加入者単独電話機（ＳＬＴ）やボタン電話装置などのアナログ電話装置にて使用される、公衆交換電話回線（ＰＳＴＮ）および構内交換回線（ＰＢＸ）などで採用されている。
【０００４】
図９は、回線電流の値に基づいて側音を低減することが可能な電話装置の構成を示したブロック図である。
【０００５】
図９において、電話装置は、コーデック（ＣＯＤＥＣ）１と、送話側アンプ２と、インピーダンス部３と、回線トランス４と、受話側アンプ５と、インピーダンス部６と、バランシングインピーダンス部７と、電流値検出回路８と、側音調整制御部９とを含む。また、側音調整制御部９は、Ａ／Ｄ変換器９Ａと、メモリ９Ｂと、ＣＰＵ９Ｃと、インピーダンス制御信号送出回路９Ｄとを含む。
【０００６】
コーデック１の出力端子は、送話側アンプ２およびインピーダンス部３を介して回線トランス４と接続されている。また、インピーダンス部３および回線トランス４の間には、分岐点ｑ１が設けられ、分岐点ｑ１は、受話側アンプ５を介してコーデック１の入力端子と接続される。
【０００７】
これにより、回線網から入力された回線信号は、回線トランス４および受話側アンプ５を介してコーデック１に入力される。また、コーデック１から出力された送話信号は、送話側アンプ２、インピーダンス部３および回線トランス４を介して回線網に出力される。
【０００８】
ここで、回線網のインピーダンスと、送話側アンプ２、インピーダンス部３、回線トランス４、受話側アンプ５、インピーダンス部６およびバランシングインピーダンス部７で構成される２線４線変換回路のバランシングインピーダンス部７と、の不整合が大きいと送話の音声が側音として問題となるレベルでユーザ側に戻る。
【０００９】
そこで、図９で示した電話装置では、以下のように側音を軽減させている。
【００１０】
つまり、送話側アンプ２とインピーダンス部３との間に分岐点ｑ２が設けられる。また、分岐点ｑ２は、インピーダンス部６およびバランシングインピーダンス部７を介して接地される。さらに、インピーダンス部６およびバランシングインピーダンス部７の間に分岐点ｑ３が設けられる。そして、受話側アンプ５を差動アンプとし、分岐点ｑ１が受話側アンプ５のプラス入力端子と接続され、分岐点ｑ３が受話側アンプ５のマイナス入力端子と接続される。
【００１１】
これにより、送話信号が分岐点ｑ３で疑似エコー信号として分岐され、その疑似エコー信号が受話側アンプ５のマイナス入力端子に入力される。また、送話信号が分岐点ｑ１で分岐されたエコー信号が受話側アンプ５のプラス入力端子に入力される。
【００１２】
受話側アンプ５が差動アンプであるので、エコー信号および疑似エコー信号のそれぞれの信号レベルが同程度になれば、側音信号の信号レベルを小さくすることが可能になり、側音を軽減することが可能になる。
【００１３】
側音調整制御部９は、エコー信号および疑似エコー信号のそれぞれの信号レベルが同程度になるように、電流値検出回路８が検出した回線電流の値に応じて線路長を推定し、その線路長に相当する等価インピーダンスにバランシングインピーダンス部７のインピーダンスを調整する。
【００１４】
より具体的には、電流値検出回路８は、回線電流の値を検出し、その値を示す電流値信号をアナログ信号で側音調整制御部９のＡ／Ｄ変換器９Ａに出力する。Ａ／Ｄ変換器９Ａは、その検出信号をデジタル信号に変換する。
【００１５】
また、メモリ９Ｂは、回線電流の値と、その値に応じた適切なインピーダンスとの対応関係を予め用意し記録しておく。なお、適切なインピーダンスとは、疑似エコー信号およびエコー信号が同程度になるときのインピーダンスである。
【００１６】
ＣＰＵ９Ｃは、Ａ／Ｄ変換器９Ａにてデジタル信号に変換された検出信号が示す電流値に応じた適切なインピーダンスを、メモリ９Ｂ内の対応関係から求める。インピーダンス制御信号送出回路９Ｄは、ＣＰＵ９Ｃが求めたインピーダンスを示すインピーダンス制御信号をバランシングインピーダンス部７に出力することで、バランシングインピーダンス部７のインピーダンスを、適切なインピーダンスに調整する。
【００１７】
以上により、疑似エコー信号およびエコー信号を同程度にすることが可能になり、側音を軽減することが可能になる。
【００１８】
しかしながら、近年、公衆交換電話回線のキャリア（事業者）の増加や電話回線網のＩＰ化などの影響により、電話装置の局交換機として新しいタイプの局交換機が使用され始めている。また、インターネットサービスの発展に伴い、ＩＳＤＮ、ＡＤＳＬ、ＦＴＴＨおよびＶｏＩＰなどの様々なネットワークと接続可能なゲートウェイ（Gateway）装置がキャリアやＩＳＰ（Internet Services Provider）などから提供され、そのゲートウェイ装置が加入者単独電話機やアナログ電話装置と接続されることが多くなっている。
【００１９】
上記のような新しいタイプの局交換機やゲートウェイ装置が具備する加入者単独電話回線では、定電流給電方式が用いられることが多い。この場合、回線電流の値が一定であるので、その電流値に基づいて線路長を正しく推定できないため、適切なインピーダンスを求めることができない。したがって、回線電流の監視により回線インピーダンスを求める方式では、側音を軽減することは困難である。このような場合、側音を軽減するためには、サービスマンが回線状態の調査し、その調査結果に基づいてバランシングインピーダンス部のインピーダンスを手動で調整する必要があり、手間がかかるという問題があった。
【００２０】
特許文献１には、上記の問題を解決することが可能な電話装置が記載されている。
【００２１】
特許文献１に記載の電話装置では、電源が投入されると、予め定められた周波数のトーン信号が試験信号として２線４線変換回路に出力される。また、２線４線変換回路から受話器に戻った試験信号の信号レベルが検出される。そして、試験信号の信号レベルに応じて、バランシングインピーダンス部のインピーダンスが調整される。
【００２２】
このため、２線４線変換回路から受話器に戻った試験信号の信号レベルは、エコー信号の信号レベルに対応するので、エコー信号の信号レベルに応じて疑似エコー信号の信号レベルを調整することが可能になり、回線電流の値を用いなくても、バランシングインピーダンス部のインピーダンスを適切に調整することが可能になる。したがって、サービスマンによる回線状態の調査やインピーダンスの調整などが行われなくても、側音を軽減することが可能になり、側音を軽減するための手間を軽減することが可能になる。
【先行技術文献】
【特許文献】
【００２３】
【特許文献１】特開２００４−２２１８０２号公報
【発明の概要】
【発明が解決しようとする課題】
【００２４】
特許文献１に記載の電話装置では、電源投入時に、試験信号として予め定められた周波数のトーン信号が出力されている。このため、電源投入後に、電話装置に使用される電話回線が接続されると、試験信号を送出することができず、側音を軽減することができないという問題がある。なお、ユーザが電話装置に試験信号を送出させるための特別な操作を行うことも考えられるが、この特別な操作を行うためには特別な知識が必要なため、ユーザがその特別な操作を行うことが難しい。このため、実際には、サービスマンによる作業が必要になるなど、手間が増加する。
【００２５】
本発明の目的は、上記の課題である、電源投入後に、電話装置に使用される電話回線が接続されると、側音を軽減することができないという問題を解決し、かつ、特別な操作を必要とせずに通常の操作を行うだけで容易に側音の最適化を行うことが可能な電話装置および側音調整方法を提供することである。
【課題を解決するための手段】
【００２６】
本発明による電話装置は、２線４線変換回路を有する電話装置であって、発呼先の電話装置の電話番号を示すＤＴＭＦ信号を、前記２線４線変換回路を介して出力する送出手段と、前記送出手段から出力されたＤＴＭＦ信号のうちの、前記２線４線変換回路から戻ってきたＤＴＭＦ信号の信号レベルを検出する検出手段と、前記検出手段にて検出された信号レベルに基づいて、前記２線４線変換回路のインピーダンスを設定する制御手段と、を有する。
【００２７】
また、本発明による側音調整方法は、２線４線変換回路を有する電話装置の側音調整方法であって、発呼先の電話装置の電話番号を示すＤＴＭＦ信号を、前記２線４線変換回路を介して出力する送出ステップと、前記出力されたＤＴＭＦ信号のうちの、前記２線４線変換回路から戻ってきたＤＴＭＦ信号の信号レベルを検出する検出ステップと、前記検出された信号レベルに基づいて、前記２線４線変換回路のインピーダンスを設定する制御ステップと、を有する。
【発明の効果】
【００２８】
本発明によれば、電源投入後に、電話装置に使用される電話回線が接続されても、側音を軽減することが可能になり、かつ、特別な操作を必要とせずに通常の操作を行うだけで容易に側音の最適化を行うことが可能になる。
【図面の簡単な説明】
【００２９】
【図１】本発明の一実施形態の電話装置の構成を示したブロック図である。
【図２】電話装置のより詳細な構成を示したブロック図である。
【図３】等化回路の構成の一例を示したブロック図である。
【図４】決定回路の一例を示したブロック図である。
【図５】ＣＯＤＥＣフィルタ係数値テーブルの一例を示した説明図である。
【図６】側音特性測定結果テーブルの一例を示した説明図である。
【図７】電話装置の動作の一例を説明するためのフローチャートである。
【図８】電話装置の動作例の一例を説明するためのタイミングチャートである。
【図９】関連技術の電話装置の構成を示したブロック図である。
【発明を実施するための形態】
【００３０】
以下、本発明の実施形態について図面を参照して説明する。なお、以下の説明では、同じ機能を有する構成には同じ符号を付け、その説明を省略する場合がある。
【００３１】
図１は、本発明の一実施形態の電話装置の構成を示したブロック図である。図１において、電話装置は、２線４線変換回路１０１と、ＤＴＭＦ信号送出部１０２と、ＤＴＭＦ信号レベル検出部１０３と、側音調整制御部１０４とを含む。
【００３２】
２線４線変換回路１０１は、２本の線路を用いて双方向通信を実現するための回路であり、送話信号の出力および受話信号の受付を行う。
【００３３】
ＤＴＭＦ信号送出部１０２は、送出手段と呼ばれることもある。ＤＴＭＦ信号送出部１０２は、回線補足時（発呼時）に、発呼先の電話装置の電話番号を示すＤＴＭＦ(Dual-Tone Multi-Frequency)信号を、２線４線変換回路１０１を介して電話回線網に出力する。なお、ＤＴＭＦ信号は、ＰＢ（Push Button Dial Signal）信号と呼ばれることもある。
【００３４】
ＤＴＭＦ信号は、０〜９の数字と、＊、＃、Ａ、Ｂ、ＣおよびＤの記号からなる１６種類の符号を、低群および高群の２つの周波数帯域の信号で表した信号である。なお、符号として、０〜９、＊および＃のみが使用されることが多い。また、通常、低群の周波数帯域は、６９７Ｈｚ〜９４１Ｈｚであり、高群の周波数帯域は、１２０９Ｈｚ〜１６３３Ｈｚである。
【００３５】
ＤＴＭＦ信号レベル検出部１０３は、検出手段と呼ばれることもある。ＤＴＭＦ信号レベル検出部１０３は、ＤＴＭＦ信号送出部１０２から出力されたＤＴＭＦ信号のうち、２線４線変換回路１０１から戻ってきたＤＴＭＦ信号である側音信号の信号レベルを検出する。
【００３６】
側音調整制御部１０４は、制御手段の一例である。ＤＴＭＦ信号レベル検出部１０３にて検出された信号レベルに基づいて、２線４線変換回路１０１のインピーダンスを設定する。
【００３７】
以上により、ＤＴＭＦ信号送出部１０２は、回線補足時に、発呼先の電話装置の電話番号を示すＤＴＭＦ信号を、２線４線変換回路１０１を介して出力する。ＤＴＭＦ信号レベル検出部１０３は、ＤＴＭＦ信号送出部１０２から出力されたＤＴＭＦ信号のうちの、２線４線変換回路１０１から戻ってきたＤＴＭＦ信号である側音信号の信号レベルを検出する。側音調整制御部１０４は、ＤＴＭＦ信号レベル検出部１０３にて検出された信号レベルに基づいて、２線４線変換回路１０１のインピーダンスを調整する。
【００３８】
この場合、回線補足時に送出されたＤＴＭＦ信号のうち、２線４線変換回路１０１から戻ってきたＤＴＭＦ信号である側音信号の信号レベルに基づいて、２線４線変換回路１０１のインピーダンスが設定される。したがって、回線補足時に側音を調整することが可能になるので、電源投入後に、電話装置に使用される電話回線が接続されても、側音を調整することが可能になる。
【００３９】
また、ユーザは発呼するための操作を行うだけで、側音を調整することが可能になるので、ユーザが特別な操作を行わなくても、側音を調整することが可能になる。したがって、特別な操作を必要とせずに通常の操作を行うだけで容易に側音の最適化を行うことが可能になる。
【００４０】
次に、電話装置のより詳細な説明を行う。
【００４１】
図２は、電話装置のより詳細な構成を示したブロック図である。図２において、電話装置１００は、２線４線変換回路１０１と、側音調整制御部１０４と、ＤＳＰ２０１とを有する。また、電話装置１００は、２線方式の電話回線網である実回線２００と接続されている。
【００４２】
なお、電話装置１００は、複数の実回線２００と接続可能であってもよい。この場合、電話装置１００は、実回線２００と接続可能な複数の入出力ポート（図示せず）を有し、その入出力ポートごとに２線４線変換回路１０１を有する。図２では、複数の２線４線変換回路１０１のうちの一つが示されているものとする。
【００４３】
ＤＳＰ２０１は、図１で示したＤＴＭＦ信号送出部１０２およびＤＴＭＦ信号レベル検出部１０３を実現する。
【００４４】
ＤＴＭＦ信号送出部１０２は、回線補足時に、発呼先の電話番号を示すＤＴＭＦ信号を、２線４線変換回路１０１を介して実回線２００に出力する。より具体的には、ＤＴＭＦ信号送出部１０２は、ＤＴＭＦ信号として、発呼先の電話番号の各桁を示す選択信号を順番に出力する。なお、選択信号のそれぞれは、低群の周波数帯の信号と、高群の周波数帯の信号とを有する。
【００４５】
ＤＴＭＦ信号レベル検出部１０３は、ＤＴＭＦ信号送出部１０２が出力したＤＴＭＦ信号のうち、２線４線変換回路１０１から戻ってきたＤＴＭＦ信号である側音信号の信号レベルを検出する。
【００４６】
より具体的には、ＤＴＭＦ信号レベル検出部１０３は、側音信号の信号レベルとして、各選択信号の信号レベルである選択信号レベルのそれぞれを検出する。さらに言えば、ＤＴＭＦ信号レベル検出部１０３は、選択信号レベルとして、低群および高群の周波数帯域の信号のそれぞれの信号レベルを検出する。
【００４７】
２線４線変換回路１０１は、タイムスイッチ（Ｔｉｍｅ・Ｓｗｉｔｉｃｈ）１１１と、回線トランス１１２と、インピーダンス調整機能付きＣＯＤＥＣ１１３とを有する。
【００４８】
タイムスイッチ１１１は、ＤＳＰ２０１と接続する２線４線変換回路１０１を切り替える。なお、タイムスイッチ１１１による切り替えは、ユーザの電話装置１００への操作に応じて行われる。
【００４９】
回線トランス１１２は、インピーダンス調整機能付きＣＯＤＥＣ１１３から出力された送話信号およびＤＴＭＦ信号を、実回線２００にて伝送可能な形式に変換して、実回線２００に出力する。また、回線トランス１１２は、実回線２００から入力された受話信号を、２線４線変換回路１０１にて伝送可能な形式に変換して、インピーダンス調整機能付きＣＯＤＥＣ１１３に出力する。
【００５０】
インピーダンス調整機能付きＣＯＤＥＣ１１３は、コーデック（ＣＯＤＥＣ）１２１と、送話側アンプ１２２と、インピーダンス部１２３および１２４と、バランシングインピーダンス部１２５と、受話側アンプ１２６を有する。なお、図２では、インピーダンス部１２３および１２４のインピーダンスを共にＺＴとしているが、実際には、それらのインピーダンスは互いに異なっていてもよい。
【００５１】
コーデック１２１は、第一および第二の入力端子と、第一および第二の出力端子とを有する。第一の入力端子および第一の出力端子は、タイムスイッチ１１１を介してＤＳＰ２０１と接続され、第二の入力端子は、受話側アンプ１２６の出力端子と接続され、第二の出力端子は、送話側アンプ１２２の入力端子と接続される。
【００５２】
コーデック１２１は、ＤＳＰ２０１から第一の入力端子に入力された送話信号およびＤＴＭＦをアナログ信号に変換して第二の出力端子から送話側アンプ１２２に入力する。また、コーデック１２１は、受話側アンプ１２６から第二の入力端子に入力された受話信号をデジタル信号に変換して第一の出力端子からＤＳＰ２０１に入力する。
【００５３】
送話側アンプ１２２の出力端子は、インピーダンス部１２３を介して回線トランス１１２に接続される。送話側アンプ１２２は、コーデック１２１から入力された送話信号およびＤＴＭＦ信号を増幅して、自己の出力端子からインピーダンス部１２３を介して回線トランス１１２に入力する。
【００５４】
また、回線トランス１１２およびインピーダンス部１２３の間には、分岐点ｐ１が設けられ、送話側アンプ１２２およびインピーダンス部１２３の間には、分岐点ｐ２が設けられる。また、分岐点ｐ２は、インピーダンス部１２４およびバランシングインピーダンス部１２５を介して接地される。さらに、インピーダンス部１２４およびバランシングインピーダンス部１２５の間には、分岐点ｐ３が設けられる。
【００５５】
バランシングインピーダンス部１２５は、可変インピーダンス回路と呼ばれることもある。バランシングインピーダンス部１２５は、インピーダンスが可変に設定可能な回路である。より具体的には、バランシングインピーダンス部１２５は、予め定められた複数の調整用インピーダンスのいずれかを、実際のインピーダンスとして設定可能な回路である。
【００５６】
例えば、バランシングインピーダンス部１２５は、実回線２００の種類ごとに、その実回線とインピーダンスが等化な複数の等化回路を有し、その等化回路のいずれかを分岐点ｐ３と接続させることで、インピーダンスを設定する。この場合、その複数の等化回路のそれぞれのインピーダンスが調整用インピーダンスとなる。
【００５７】
なお、バランシングインピーダンス部１２５では、各調整用インピーダンスは、ＣＯＤＥＣフィルタ係数値と呼ばれる係数と対応付けられている。バランシングインピーダンス部１２５では、ＣＯＤＥＣフィルタ係数値が通知されると、そのＣＯＤＥＣフィルタ係数値に対応するインピーダンスを自己に設定する。
【００５８】
図３は、調整用インピーダンスの等化回路の一例を示した回路図である。図３において、等化回路は、抵抗素子ＲｓおよびＲｐと、容量素子Ｃｐとを有する。
【００５９】
抵抗素子Ｒｐおよび容量素子Ｃｐは、互いに並列に接続され、ＲＣ並列回路を構成する。抵抗素子Ｒｓは、そのＲＣ並列回路と直列に接続される。これにより、抵抗素子ＲｓおよびＲｐのそれぞれの抵抗値ｒｓおよびｒｐと、容量素子Ｃｐの電気容量ｃｐとに応じて、調整用インピーダンスが定まる。
【００６０】
また、調整用インピーダンスは、実回線２００を模した疑似線路を用いた実験またはシミュレーションを行うことで決定することができる。
【００６１】
図４は、調整用インピーダンスを決定するための決定回路の構成の一例を示した説明図である。図４において、決定回路は、タイムスイッチ１１１を除いた２線４線変換回路１０１が、実回線２００の代わりに疑似線路３００と接続された構成を有する。また、疑似線路３００には、インピーダンス部３０１が備わっている。
【００６２】
インピーダンス部３０１のインピーダンスを適宜設定することで、疑似線路３００（インピーダンス部３０１を含む）のインピーダンスを、実回線２００のインピーダンスとして想定される値に設定する。
【００６３】
そして、バランシングインピーダンス部１２５のインピーダンスを変えながら、側音信号の信号レベルを測定し、その側音信号の信号レベルが最小となるときのバランシングインピーダンス部１２５のインピーダンスを、調整用インピーダンスとする。
【００６４】
実回線２００のインピーダンスは実回線２００の種類に応じて変化するので、上記の処理をインピーダンス部３０１のインピーダンスを変えながら複数回行うことで、実回線２００の種類に応じた複数の調整用インピーダンスを決定することができる。
【００６５】
図２に戻る。受話側アンプ１２６は、差動アンプである。受話側アンプ１２６のプラス入力端子は、分岐点ｐ１と接続され、受話側アンプ１２６のマイナス入力端子は、分岐点ｐ３と接続される。
【００６６】
２線４線変換回路１０１が以上の構成を有することにより、ＤＴＭＦ信号のうちの分岐点ｐ１で分岐された信号であるエコー信号が受話側アンプ１２６のプラス入力端子に入力される。また、ＤＴＭＦ信号のうちの分岐点ｐ２で分岐された信号である疑似エコー信号が受話側アンプ１２６のマイナス入力端子に入力される。そして、受話側アンプ１２６は、エコー信号および疑似エコー信号との差を側音信号として、第一出力端子からコーデック１２１に出力することになる。
【００６７】
側音調整制御部１０４は、ＤＴＭＦ信号送出部１０２にてＤＴＭＦ信号として選択信号が出力されたびに、バランシングインピーダンス部１２５のインピーダンスを変更する。より具体的には、側音調整制御部１０４は、選択信号が出力されるたびに、バランシングインピーダンス部１２５における実際のインピーダンスとして設定される調整用インピーダンスを変更する。
【００６８】
なお、バランシングインピーダンス部１２５のインピーダンスが変更されると、２線４線変換回路１０１のインピーダンスも変更されることになるので、側音調整制御部１０４は、選択信号が出力されるたびに、２線４線変換回路１０１のインピーダンスを変更することになる。
【００６９】
側音調整制御部１０４は、ＤＴＭＦ信号レベル検出部１０３にて検出された選択信号レベルのうち、最も小さい選択信号レベルが検出されたときに設定されていた調整用インピーダンスを、バランシングインピーダンス部１２５の最適なインピーダンスとして設定する。これにより、側音調整制御部１０４は、選択信号レベルのうち最も小さい選択信号レベルが検出されたときの２線４線変換回路１０１のインピーダンスを、２線４線変換回路の最適なインピーダンスとして設定することになる。
【００７０】
より具体的には、側音調整制御部１０４は、メモリ１３１と、ＣＯＤＥＣ制御部１３２と、ＣＰＵ１３３とを有し、各部が以下の機能を実現する。
【００７１】
メモリ１３１は、ＣＯＤＥＣフィルタ係数値テーブルを記録する。ＣＯＤＥＣフィルタ係数値テーブルでは、バランシングインピーダンス部１２５において定められている調整用インピーダンスを特定する識別情報であるインピーダンス番号と、その調整用インピーダンスに対応するＣＯＤＥＣフィルタ係数値とがインピーダンス番号ごとに対応付けられている。
【００７２】
図５は、ＣＯＤＥＣフィルタ係数値テーブルの一例を示した説明図である。図５において、ＣＯＤＥＣフィルタ係数値テーブル５００は、インピーダンス番号（ＺＢ・ＮＯ．）５０１と、インピーダンス（ＺＢ）５０２と、線路条件５０３と、ＣＯＤＥＣフィルタ係数値５０４とを含む。
【００７３】
インピーダンス番号５０１は、調整用インピーダンスを特定する。ここでは、調整用インピーダンスは１６個あるとし、インピーダンス番号５０１は、１から１６までの通し番号で表わされている。
【００７４】
インピーダンス５０２は、インピーダンス番号５０１で特定される調整用インピーダンス（より具体的には、調整用インピーダンスを定める等化回路内の抵抗値ｒｓ、ｒｐおよび電気容量ｃｐ）を示す。
【００７５】
線路条件５０３は、インピーダンス５０２が示す調整用インピーダンスに対応する実回線の状態を示す。図５では、実回線の状態として、実回線の線径、終端インピーダンス（Ｉｍｐ）および回線ロス（ＬＯＳＳ）とが示されている。
【００７６】
ＣＯＤＥＣフィルタ係数値５０４は、インピーダンス番号５０１で特定される調整用インピーダンスに対応するＣＯＤＥＣフィルタ係数値である。
【００７７】
図２に戻る。ＣＯＤＥＣ制御部１３２は、ＣＯＤＥＣフィルタ係数値を示すインピーダンス制御信号を、バランシングインピーダンス部１２５に通知して、調整用インピーダンスのいずれかをバランシングインピーダンス部１２５に設定する。
【００７８】
より具体的には、ＣＯＤＥＣ制御部１３２は、ＤＴＭＦ信号送出部１０２にてＤＴＭＦ信号として選択信号が出力されるたびに、インピーダンス制御信号が示すＣＯＤＥＣフィルタ係数値を変更して、バランシングインピーダンス部１２５に実際のインピーダンスとして設定される調整用インピーダンスを変更する。
【００７９】
さらに言えば、先ず、ＣＯＤＥＣ制御部１３２は、電話番号の一桁目を示す選択信号が出力される前に、第一のＣＯＤＥＣフィルタ係数値を示すインピーダンス制御信号を通知する。その後、ＣＯＤＥＣ制御部１３２は、ＤＴＭＦ信号送出部１０２にて選択信号が出力されるたびに、インピーダンス制御信号が示すＣＯＤＥＣフィルタ係数値を変更する。
【００８０】
以上により、選択信号レベルが最小となるときに側音が最小となると考えられるので、その最小の選択信号レベルが検出されたときに、バランシングインピーダンス部１２５に設定されていた調整用インピーダンスが、最適なインピーダンスと判断することができる。なお、選択信号の周波数に応じて、２線４線変換回路１０１から戻ってきた選択信号の選択信号レベルは変化するが、その変化量は比較的小さいので、選択信号レベルが最小となるときに、側音が最小となると判断しても問題はない。
【００８１】
ＣＰＵ１３３は、ＤＴＭＦ信号レベル検出部１０３にて検出された選択信号レベルと、その選択信号レベルが検出されたときにバランシングインピーダンス部１２５に設定されていた調整用インピーダンスを特定するインピーダンス番号と、をインピーダンス番号ごとに対応付けたテーブルを、検出結果としてメモリ１３１に記録する。
【００８２】
ＣＰＵ１３３は、メモリ１３１に記録された検出結果から、最小の選択信号レベルに対応するインピーダンス番号を設定インピーダンス番号として選択する。ＣＰＵ１３３は、その設定インピーダンス番号を、その検出結果に対応付けてメモリ１３１に記録して、メモリ１３１内に側音特性測定結果テーブルを生成する。
【００８３】
また、側音特性測定結果テーブル内の選択信号レベルの代わりに、選択信号レベルを予め定められた基準レベルから減算した側音ロスレベルを用いてもよい。この場合、ＣＰＵ１３３は、検出結果の中で、最大の側音ロスレベルに対応するインピーダンス番号を設定インピーダンス番号として検出結果に対応付ける。なお、基準レベルは、例えば、ＤＴＭＦ信号送出部１０２が出力する選択信号の信号レベルである。
【００８４】
また、実回線２００と接続可能な入出力ポートが複数ある場合、ＣＰＵ１３３は、その入出力ポートを特定するポート番号ごとに、上記の処理を行う。
【００８５】
図６は、側音特性測定結果テーブルの一例を示した説明図である。図６において、側音特性測定結果テーブル６００は、ポート番号（ポートＮＯ．）６０１と、設定インピーダンス番号（設定ＺＢＮＯ．）６０２と、側音ＬＯＳＳテスト結果６０３とを含む。
【００８６】
ポート番号６０１は、実回線２００と接続可能な入出力ポートを特定する。設定インピーダンス番号６０２は、ポート番号６０１に対応する２線４線変換回路１０１のバランシングインピーダンス部１２５に最適なインピーダンスとして設定される調整用インピーダンスを特定する。
【００８７】
側音ＬＯＳＳテスト結果６０３は、ＤＴＭＦ信号レベル検出部１０３の検出結果であり、インピーダンス番号６１１と、低群ロスレベル（ＳＴＬ）６１２と、高群ロスレベル（ＳＴＨ）６１３とを含む。
【００８８】
インピーダンス番号６１１は、調整用インピーダンスを特定する。低群ロスレベル６１２は、低群の選択信号の選択信号レベルを基準レベルから減算した値ある。高群ロスレベル６１３は、高群の選択信号の選択信号レベルを基準レベルから減算した値である。
【００８９】
なお、ＤＴＭＦ信号レベル検出部１０３の検出精度が、周波数に応じた選択信号レベルの変化量よりも小さくても、設定インピーダンス番号６０２は変化しない。このため、ＤＴＭＦ信号レベル検出部１０３の検出精度が、周波数に応じた選択信号レベルの変化量と同程度またはそれ以上であることが望ましい。図６では、選択信号レベルの検出精度を２[ｄＢ]としている。
【００９０】
図２に戻る。ＣＰＵ１３３は、ＣＯＤＥＣフィルタ係数値テーブルの中で、設定インピーダンス番号と同じインピーダンス番号に対応付けられたＣＯＤＥＣフィルタ係数値を取得する。ＣＰＵ１３３は、その取得したＣＯＤＥＣフィルタ係数値を示すインピーダンス制御信号をＣＯＤＥＣ制御部１３２から出力して、そのＣＯＤＥＣフィルタ係数値に対応する調整用インピーダンスを最適なインピーダンスとしてバランシングインピーダンス部１２５に設定する。
【００９１】
次に動作を説明する。
【００９２】
図７は、電話装置１００の動作の一例を説明するためのフローチャートであり、図８は、電話装置１００の動作の一例を説明するためのタイミングチャートである。
【００９３】
なお、電話装置１００のユーザは、不図示の操作部に発呼先の電話番号を入力する、または、電話装置１００に予め登録された電話番号を発呼先の電話番号として選択することで、発呼先の電話番号を含む発呼要求であるダイヤル（Ｄｉａｌ）送出要求をＣＰＵ１３３に通知する。ＣＰＵ１３３は、ダイヤル送出要求を受け付けると、ステップＳ７０１を実行する。
【００９４】
ステップＳ７０１では、ＣＰＵ１３３は、メモリ１３１に記録されているＣＯＤＥＣフィルタ係数値テーブル内のインピーダンス番号のいずれか一つを選択する。ここでは、ＣＰＵ１３３は、最も小さい値のインピーダンス番号「１」を選択したものとする。
【００９５】
ＣＰＵ１３３は、その選択したインピーダンス番号に対応付けられたＣＯＤＥＣフィルタ係数値をメモリ１３１から取得し、その取得したＣＯＤＥＣフィルタ係数値を示すインピーダンス制御信号を生成する。ＣＰＵ１３３は、そのインピーダンス制御信号をＣＯＤＥＣ制御部１３２を介してバランシングインピーダンス部１２５に出力する。バランシングインピーダンス部１２５は、インピーダンス制御信号を受け付けると、そのインピーダンス制御信号が示すＣＯＤＥＣフィルタ係数値に対応するインピーダンスを自己に設定する。
【００９６】
また、ＣＰＵ１３３は、インピーダンス制御信号を出力すると、ダイヤル送出要求内の電話番号の一桁目を選択する。その後、ＣＰＵ１３３は、ステップＳ７０２を実行する。
【００９７】
ステップＳ７０２では、ＣＰＵ１３３は、選択中の桁を含むＤＴＭＦ送出要求を生成し、そのＤＴＭＦ送出要求をＤＴＭＦ信号送出部１０２に通知する。ＤＴＭＦ信号送出部１０２は、ＤＴＭＦ送出要求を受け付けると、そのＤＴＭＦ送出要求内の桁を示す高群信号および低群信号を生成し、その高群信号および低群信号を、ＤＴＭＦ信号として２線４線変換回路１０１を介して実回線２００に出力する。その後、ステップＳ７０３が実行される。
【００９８】
なお、高群信号は、高群の周波数帯域の信号であり、低群信号は、低群の周波数帯域の信号である。また、以下では、ＤＴＭＦ信号送出部１０２が出力した高群レベルの信号レベルを高群レベルＳＨと称し、ＤＴＭＦ信号送出部１０２が出力した低群レベルの信号レベルを低群レベルＳＬと称する。
【００９９】
ステップＳ７０３では、ＤＴＭＦ信号レベル検出部１０３は、２線４線変換回路１０１から戻ってきた高群信号の信号レベルである高群レベルＲＨと、２線４線変換回路１０１から戻ってきた低群信号の信号レベルである低群レベルＲＬとを検出する。
【０１００】
ＤＴＭＦ信号レベル検出部１０３は、高群レベルＳＨから高群レベルＲＨを減算した高群ロスレベルＳＴＨ（＝ＳＨ−ＲＨ）と、低群レベルＳＬから低群レベルＲＬを減算した低群ロスレベルＳＴＬ（＝ＳＬ−ＲＬ）とを、側音ロスレベルとして算出する。ＤＴＭＦ信号レベル検出部１０３は、その側音ロスレベルを示すレベル情報を生成し、そのレベル情報をＣＰＵ１３３に通知する。ＣＰＵ１３３は、レベル情報を受け付けると、ステップＳ７０４を実行する。
【０１０１】
ステップＳ７０４では、ＣＰＵ１３３は、レベル情報と、選択中のインピーダンス番号とを対応付け、検出結果としてメモリ１３１に記録する。その後、ＣＰＵ１３３は、ステップＳ７０５を実行する。
【０１０２】
ステップＳ７０５では、ＣＰＵ１３３は、選択中のインピーダンス番号をインクリメントして、選択中のインピーダンス番号を更新する。なお、選択中のインピーダンス番号が最大値の場合、ＣＰＵ１３３は、最小のインピーダンス番号などの予め定められたインピーダンス番号を選択することで、選択中のインピーダンス番号を更新する。その後、ＣＰＵ１３３は、ステップＳ７０６を実行する。
【０１０３】
ステップＳ７０６では、ＣＰＵ１３３は、その更新した選択中のインピーダンス番号に対応するＣＯＤＥＣフィルタ係数値をメモリ１３１から取得し、その取得したＣＯＤＥＣフィルタ係数値を示すインピーダンス制御信号を生成する。ＣＰＵ１３３は、そのインピーダンス制御信号をＣＯＤＥＣ制御部１３２を介してバランシングインピーダンス部１２５に出力する。バランシングインピーダンス部１２５は、インピーダンス制御信号を受け付けると、そのインピーダンス制御信号が示すＣＯＤＥＣフィルタ係数値に対応するインピーダンスを自己に設定する。
【０１０４】
また、ＣＰＵ１３３は、インピーダンス制御信号を出力すると、ステップＳ７０７を実行する。
【０１０５】
ステップＳ７０７では、ＣＰＵ１３３は、ダイヤル送出要求内の電話番号が全てＤＴＭＦ信号（選択信号）として出力されたか否かを判断する。
【０１０６】
ダイヤル送出要求内の電話番号に未送出の次の桁がある場合、ＣＰＵ１３３は、次の桁のＤＴＭＦ信号（選択信号）を送出するため、次の桁を選択して、ステップ７０２を実行する。
【０１０７】
一方、電話番号のすべての桁のＤＴＭＦ信号の送出が完了した場合、ＣＰＵ１３３はステップＳ７０８を実行する。
【０１０８】
なお、発呼時におけるＤＴＭＦ信号の送出周期は、実回線２００の種類に応じて決まっている。例えば、一つの選択信号に対して１２０ｍｓ周期が割り当てられ、その始めの９０ｍｓ間、選択信号が出力され続け、後の３０ｍｓ間、桁間インターバルとして選択信号の出力が停止される。したがって、バランシングインピーダンス部１２５のインピーダンスの設定は、その選択信号の出力が停止されている桁間インターバルの間に行うことが望ましい。
【０１０９】
ステップＳ７０８では、ＣＰＵ１３３は、メモリ１３１内の検出結果から、最大の側音ロスレベルを探す。例えば、ＣＰＵ１３３は、高群ロスレベルおよび低群ロスレベルの合計が最も大きい側音ロスレベルを、最大の側音ロスレベルとする。
【０１１０】
ステップＳ７０８では、ＣＰＵ１３３は、メモリ１３１内の検出結果の中で、最大の側音ロスレベルに対応するインピーダンス番号を設定インピーダンス番号として検出結果に対応付けて、ＣＯＤＥＣフィルタ係数値を生成する。ＣＰＵ１３３は、その設定インピーダンス番号と対応付けられたＣＯＤＥＣフィルタ係数値を、最適なＣＯＤＥＣフィルタ係数値として、メモリ１３１内のＣＯＤＥＣフィルタ係数値テーブルから取得する。その後、ＣＰＵ１３３は、ステップＳ７０９を実行する。
【０１１１】
ステップＳ７０９では、ＣＰＵ１３３は、その取得した最適なＣＯＤＥＣフィルタ係数値を示すインピーダンス制御信号を生成する。ＣＰＵ１３３は、そのインピーダンス制御信号をＣＯＤＥＣ制御部１３２を介してバランシングインピーダンス部１２５に出力する。バランシングインピーダンス部１２５は、インピーダンス制御信号を受け付けると、そのインピーダンス制御信号が示すＣＯＤＥＣフィルタ係数値に対応するインピーダンスを自己に設定する。
【０１１２】
本実施形態によれば、ＤＴＭＦ信号送出部１０２は、ＤＴＭＦ信号として、発呼先の電話番号内の各桁を示す選択信号を順番に出力する。ＤＴＭＦ信号レベル検出部１０３は、ＤＴＭＦ信号の側音信号レベルとして、各桁の選択信号ごとの信号レベルを検出する。側音調整制御部１０４は、ＤＴＭＦ信号送出部１０２にて各桁の選択信号が出力されるたびに、２線４線変換回路１０１のインピーダンスを変更する。また、側音調整制御部１０４は、ＤＴＭＦ信号レベル検出部１０３にて検出された側音信号レベルのうちの最小の側音信号レベルが検出されたときのインピーダンスを、２線４線変換回路１０１に設定する。
【０１１３】
この場合、電話番号内の各桁を示す選択信号ごとに２線４線変換回路１０１のインピーダンスが変更される。また、２線４線変換回路１０１から戻ってきた選択信号の符号信号レベルのうちの、最小の符号信号レベルが検出されたときのインピーダンスが２線４線変換回路１０１に設定される。
【０１１４】
したがって、電話番号の桁数分のインピーダンスの中から最も実回線に近い最適なインピーダンスを選択することが可能になり、精度良く側音を軽減するためのインピーダンス調整が可能になる。
【０１１５】
また、本実施形態では、２線４線変換回路１０１は、予め用意した複数の調整用インピーダンスのいずれかを、実際のインピーダンスとして設定可能なバランシングインピーダンス部１２５を有する。側音調整制御部１０４は、選択信号が出力されるたびに、実際のインピーダンスとして設定される調整用インピーダンスを変更する。また、側音調整制御部１０４は、最小の選択信号レベルが検出されたときに設定されていた調整用インピーダンスを、バランシングインピーダンス部１２５に設定する。
【０１１６】
この場合、調整用インピーダンスが適宜設定されれば、実回線２００の側音特性に応じた最適なインピーダンスをバランシングインピーダンス部１２５に設定することが可能になる。したがって、より精度良く側音を軽減することが可能になる。
【０１１７】
以上説明した実施形態において、図示した構成は単なる一例であって、本発明はその構成に限定されるものではない。
【０１１８】
例えば、図２において、ＤＴＭＦ信号送出部１０２およびＤＴＭＦ信号レベル検出部１０３は、ＤＳＰ２０１にて実現されていた。しかしながら、ＤＴＭＦ信号送出部１０２およびＤＴＭＦ信号レベル検出部１０３のそれぞれの機能は、互いに独立した専用回路にて実現されてもよい。
【０１１９】
また、図７および図８で説明した動作では、ＣＰＵ１３３は、電話番号の桁ごとに、ＤＴＭＦ送出要求をＤＳＰ２０１に出力していた。しかしながら、ＣＰＵ１３３は、発呼先の電話番号を全て含むＤＴＭＦ送出要求をＤＳＰ２０１に出力し、全ての選択信号の選択信号レベルの検出後に、２線４線変換回路１０１から戻った選択信号の信号レベルを示すレベル情報を受け付けてもよい。
【０１２０】
さらに、ＣＰＵ１３３の機能は、ＤＳＰ２０１にて実現されてもよい。
【符号の説明】
【０１２１】
１００    電話装置
１０１    ２線４線変換回路
１０２    ＤＴＭＦ信号送出部
１０３    ＤＴＭＦ信号レベル検出部
１０４    側音調整制御部
１１１    タイムスイッチ
１１２    回線トランス
１１３    インピーダンス調整機能付きＣＯＤＥＣ
１２１    コーデック
１２２    送信側アンプ
１２３、１２４、３０１    インピーダンス部
１２５    バランシングインピーダンス部
１２６    受信側アンプ
１３１      メモリ
１３２      ＣＯＤＥＣ制御部
１３３      ＣＰＵ
２００      実回線
３００      疑似線路
【図１】
2011061285.tif 000003
【図２】
2011061285.tif 000004
【図３】
2011061285.tif 000005
【図４】
2011061285.tif 000006
【図５】
2011061285.tif 000007
【図６】
2011061285.tif 000008
【図７】
2011061285.tif 000009
【図８】
2011061285.tif 000010
【図９】
2011061285.tif 000011